(57)【特許請求の範囲】
【請求項１】
一端が連結されたフロントコア（２０ａ，２０ｂ）と、一端が該フロントコア（２０ａ，２０ｂ）に結合されセンターコア（２０ｃ）を有する磁性材から成る磁気ヘッドコア（２０）を有し、且つ、コイル（２２）を巻装したコイルボビン（２１）が前記センターコア（２０ｃ）に装着され、更に、該センターコア（２０ｃ）は前記フロントコア（２０ａ，２０ｂ）の夫々の他端と共にトラック（２８，２９）を形成し、且つ、一側部を隆起させて側面視略Ｌ字形に形成されたホルダー（２５）が前記磁気ヘッドコア（２０）に結合されて成る磁気ヘッドにおいて、
前記ホルダー（２５）は該ホルダー（２５）の前記隆起部の上面（２５ａ）に所定間隔を有して突設された二本の柱状の突出部（２６，２７）と一体形成された熱可塑性樹脂から成り、更に、該二本の突出部（２６，２７）は前記磁気ヘッドの前記トラック（２８，２９）側において前記センターコア（２０ｃ）を挟持する如く、前記フロントコア（２０ａ，２０ｂ）及び該センターコア（２０ｃ）並びに前記コイルボビン（２１）間に形成される隙間を下面から貫通して夫々の先端部（２６ａ，２６ｂ）を磁気ヘッドコア（２０）の上方へ突出させると共に、ホルダー（２５）の前記隆起部の上面（２５ａ）を磁気ヘッドコア（２０）の下面に接合させ、更に、該先端部（２６ａ，２６ｂ）を前記センターコア（２０ｃ）及びフロントコア（２０ａ，２０ｂ）又は該センターコア（２０ｃ）及び各フロントコア（２０ａ，２０ｂ）並びにコイルボビン（２１）に熱融着させることにより、前記ホルダー（２５）を前記磁気ヘッドコア（２０）に結合させたことを特徴とする磁気ヘッド。
【発明の詳細な説明】
【０００１】
【発明の属する技術分野】
本発明は、磁気ヘッド、特に、消却用磁気ヘッドにおける磁気ヘッドコアとホルダーとの結合構造に関する。
【０００２】
【従来の技術】
図４、図５は従来の消却用磁気ヘッドを説明するものである。これら図面において、２は一端が連結されたフロントコア２ａ，２ｂ、及び一端がフロントコア２ａ，２ｂに結合
されたセンターコア２ｃを有する磁性材からなる磁気ヘッドコア、４はセンターコア２ｃに装着され、コイル５が巻装されたコイルボビン、７は磁気ヘッドコア２に固定され、コイル５の端部が電気的に接続された端子８を植設した絶縁材からなる端子基板、９は非磁性材からなるホルダーである。ここで、センターコア２ｃの他端は、フロントコア２ａ，２ｂのそれぞれの他端と共にトラック１０，１１を形成する。
【０００３】
ホルダー９の磁気ヘッドコア２への結合は、接着材を用いて行われ、これにより図５に示す如く磁気ヘッドが得られる。
【０００４】
【発明が解決しようとする課題】
上記従来例は、上記構成に係るから、磁気ヘッドコア２にホルダー９を結合する際に、接着材を使用しているので、硬化するまでに磁気ヘッドコア２とホルダー９とを適当な圧力にて保持しなければならず、このため保持用の治具を必要とするなど生産性向上に適さない等の問題点がある。そこで、この問題点に鑑み之を解消するために解決せられるべき技術的課題が生じてくるのであり、本発明は該課題を解決することを目的とする。
【０００５】
【課題を解決するための手段】
本発明は上記目的を達成するために提案されたものであり、一端が連結されたフロントコアと、一端が該フロントコアに結合されセンターコアを有する磁性材から成る磁気ヘッドコアを有し、且つ、コイルを巻装したコイルボビンが前記センターコアに装着され、更に、該センターコアは前記フロントコアの夫々の他端と共にトラックを形成し、且つ、一側部を隆起させて側面視略Ｌ字形に形成されたホルダーが前記磁気ヘッドコアに結合されて成る磁気ヘッドにおいて、前記ホルダーは該ホルダーの前記隆起部の上面に所定間隔を有して突設された二本の柱状の突出部と一体形成された熱可塑性樹脂から成り、更に、該二本の突出部は前記磁気ヘッドの前記トラック側において前記センターコアを挟持する如く、前記フロントコア及び該センターコア並びに前記コイルボビン間に形成される隙間を下面から貫通して夫々の先端部を磁気ヘッドコアの上方へ突出させると共に、ホルダーの前記隆起部の上面を磁気ヘッドコアの下面に接合させ、更に、該先端部を前記センターコア及びフロントコア又は該センターコア及び各フロントコア並びにコイルボビンに熱融着させることにより、前記ホルダーを前記磁気ヘッドコアに結合させた磁気ヘッドを提供するものである。
【０００６】
上記構成により、ホルダーを磁気ヘッドコアに結合させる際には、熱可塑性樹脂にて該ホルダーと一体形成された二本の突出部が、磁気ヘッドのトラック側においてセンターコアを両側から挟持する如く該センターコア及びフロントコア並びにコイルボビン間に形成されている隙間を下面から貫通して該二本の突出部の夫々の先端部を磁気ヘッドコアの上方へ突出させると共に、該ホルダーの隆起部の上面を磁気ヘッドコアの下面に接合させる。そして、該先端部を前記センターコア及び各フロントコア又は該センターコア及び各フロントコア並びにコイルボビンに熱融着させてホルダーを磁気ヘッドコアに結合させる。
【０００７】
【発明の実施の形態】
以下、本発明の実施の形態を図１乃至図３に従って詳述する。図において２０は一端が連結されたフロントコア２０ａ，２０ｂ、及び一端がフロントコア２０ａ，２０ｂに結合されたセンターコア２０ｃを有する磁性材からなる磁気ヘッドコア、２１はセンターコア２０ｃに装着され、コイル２２が巻装されたコイルボビン、２３は磁気ヘッドコア２０に固定され、コイル２２の端部が電気的に接続された端子２４を植設した絶縁材からなる端子基板、２５は円柱状の突出部２６，２７が一体形成されたプラスチックなどの熱可塑性樹脂からなる非磁性材のホルダーである。該円柱状の突出部２６，２７は一側部を隆起して形成される略Ｌ字形のホルダー２５の該隆起部の上面２５ａに突設されて成る。ここで、センターコア２０ｃの他端は、フロントコア２０ａ，２０ｂのそれぞれの他端と共に
トラック２８,２９を形成する。
【０００８】
而して、前記ホルダー２５の磁気ヘッドコア２０への結合は、まず、図１に示す如く、矢印Ａ，Ｂ方向にホルダー２５を装着することによって行われる。即ち、該ホルダー２５の略Ｌ字形の前記隆起部の上面２５ａを磁気ヘッドコア２０の前記トラック２８，２９側の下面に接合させるように、該ホルダー２５に突設された二本の突出部２６，２７で該磁気ヘッドコア２０のセンターコア２０ｃを挟持する如く、該突出部２６，２７を該センターコア２０ｃ及びフロントコア２０ａ，２０ｂ並びにコイルボビン２１間に形成される隙間の下面から貫通させて該突出部２６，２７の先端部２６ａ，２６ｂを磁気ヘッドコア２０の上方へ突出させる。そして、該ホルダー２５の前記隆起部の上面２５ａを磁気ヘッドコア２０の下面に接合させる。図２は前記貫通した状態を示す。
【０００９】
そこで、図２に示す状態で、前記二本の突出部２６，２７が磁気ヘッドコア２０外へ突出している二本の突出部２６，２７の前記夫々の先端部２６ａ，２６ｂを図３に示す如く熱融着の手段で前記センターコア２０ｃ及びフロントコア２０ａ，２０ｂ又はセンターコア２０ｃ及びフロントコア２０ａ，２０ｂ並びにコイルボビン２１に溶着されることにより、該磁気ヘッドコア２０はホルダー２５に極めて容易且つ正確に位置決めされて結合し、斯くして磁気ヘッドが構成される。
【００１０】
【発明の効果】
本発明は上記実施の形態にて詳述した構成に係るから、次のような効果を奏することができる。
【００１１】
ア：略Ｌ字形に形成されているホルダーの一側の隆起部の上面に二本の柱状の突出部が突設され、且つ、該突出部は該ホルダーと同質のプラスチックなどの熱可塑性樹脂によって該ホルダーと一体成型されるので、該ホルダー及び突出部の成型が極めて容易である。
【００１２】
イ：又、該突出部は前記ホルダーの隆起部の上面に二本突設され、そして、センターコアを両側から挟持して磁気ヘッドの下面からセンターコア及びフロントコア並びにコイルボビン間に形成される隙間の下面から該隙間を貫通して、該磁気ヘッドの上面に該突出部の先端部を突出させることができるように構成されているため、該磁気ヘッドをホルダーとの位置決めが容易且つ正確に実行されることができる。
【００１３】
ウ：前記二本の突出部を磁気ヘッドコアのトラック側の下面から前記隙間に挿入し乍ら該隙間を貫通させ、そして、ホルダーの前記隆起部を磁気ヘッドコアの前記トラック側の下面に合接させ、そして、該二本の突出部の夫々の前記先端部を熱融着の手段によって前記センターコア及びフロントコア又は該センターコア及びフロントコア並びにコイルボビンに溶着させることにより、磁気ヘッドコアとホルダーとが極めて容易、正確且つ、迅速に結合されることができ、此種磁気ヘッドの生産性が向上する。
【００１４】
エ：更に又、本発明は此種磁気ヘッドにおいて、磁気ヘッドコアとホルダーとを結合するとき、従来例のように接着材を用いないので、接着材の硬化時における位置決めのための保持具を必要とせず、且つ、双方の結合時間も従来の此種磁気ヘッドに比し、大幅に短縮することができる。
【図面の簡単な説明】
【図１】  本発明に係る磁気ヘッドの実施例を示す一部分解斜視図。
【図２】  本発明に係る磁気ヘッドの実施例を示す熱融着前の斜視図。
【図３】  本発明に係る磁気ヘッドの実施例を示す斜視図。
【図４】  従来例の磁気ヘッドを示し、その一部分解斜視図。
【図５】  従来例の磁気ヘッドを示す斜視図。
【符号の説明】
２０        磁気ヘッドコア
２０ａ，２０ｂ    フロントコア
２０ｃ      センターコア
２１        コイルボビン
２２        コイル
２３        端子基板
２４        端子
２５        ホルダー
２５ａ ホルダーの上面
２６，２７        突出部
２６ａ，２６ｂ    突出部の先端部
２８，２９ トラック
【図１】
0003677903.tif 000002
【図２】
0003677903.tif 000003
【図３】
0003677903.tif 000004
【図４】
0003677903.tif 000005
【図５】
0003677903.tif 000006